(57)【要約】      （修正有）【課題】透明または半透明部の内部にレーザー加工により形成された三次元画像あるいは三次元構造を有する各種の形状の容器および立体物を提供する。【解決手段】容器は、少なくとも一部に外面に接した透明または半透明部を有し、その透明または半透明部の少なくとも一部に湾曲部を有する。透明または半透明部の内部に少なくとも一つの、レーザー加工により形成された三次元画像１３を有する。容器は、コップ１０、カップ、ワイングラスなどである。例えば、透明ガラス製のコップ１０の底部１１の内部にレーザー加工により三次元画像１３を形成する。【選択図】図１
0003200099.tif 000002
【実用新案登録請求の範囲】
【請求項１】
少なくとも一部に外面に接した透明または半透明部を有し、
上記透明または半透明部の少なくとも一部に湾曲部を有し、
上記透明または半透明部の内部に少なくとも一つの、レーザー加工により形成された三次元画像を有することを特徴とする容器。
【請求項２】
上記透明または半透明部はガラスからなることを特徴とする請求項１記載の容器。
【請求項３】
上記容器はコップ、カップ、ワイングラス、ジョッキ、茶碗、急須、ポット、ボール、ピッチャー、アイスペール、皿、鉢または調味料ボトルであることを特徴とする請求項１または２記載の容器。
【請求項４】
少なくとも上記容器の底部に上記透明または半透明部を有し、上記底部の上記透明または半透明部の内部に上記三次元画像を有することを特徴とする請求項１〜３のいずれか一項記載の容器。
【請求項５】
少なくとも一部に外面に接した透明または半透明部を有し、
上記透明または半透明部の少なくとも一部に湾曲部を有し、
上記湾曲部の上記透明または半透明部の内部に少なくとも一つの、レーザー加工により形成された三次元構造を有することを特徴とする立体物。
【請求項６】
上記立体物は容器または光学部品であることを特徴とする請求項５記載の立体物。
【考案の詳細な説明】
【技術分野】
【０００１】
この考案は容器および立体物に関し、特に、少なくとも一部に外面に接した透明または半透明部を有し、この透明または半透明部の少なくとも一部に湾曲部を有する容器および立体物、例えば、コップなどの各種の容器や各種の光学部品などに関する。
【背景技術】
【０００２】
従来より、クリスタルガラスの内部にレーザー加工により三次元画像を形成する技術が知られており、この技術を用いて置物やキーホルダーなどが製造されている。例えば、特許文献１には、透明あるいは半透明材料内部にレーザー加工により画像を形成し、裏面を黒色あるいは暗色に処理した置物であって、裏面から正面に向かって広がるように形成された傾斜した側面および天面を持つ置物が記載されている。
【先行技術文献】
【特許文献】
【０００３】
【特許文献１】特許第５３０５２０３号明細書
【特許文献２】特開２００８−１８３６１６号公報
【考案の概要】
【考案が解決しようとする課題】
【０００４】
しかしながら、これまでに製造販売されている、レーザー加工により三次元画像を施したクリスタルガラスは、そのほとんどが多面体またはその稜線や角部を面取りした形状に限られており、形状のバリエーションに乏しいため、用途が限られていた。
【０００５】
そこで、この考案が解決しようとする課題は、透明または半透明部の内部にレーザー加工により形成された三次元画像を有する各種の形状の容器を提供することである。
【０００６】
この考案が解決しようとする課題は、より一般的には、透明または半透明部の内部にレーザー加工により形成された三次元画像あるいは三次元構造を有する各種の形状の容器や光学部品などの立体物を提供することである。
【課題を解決するための手段】
【０００７】
上記課題を解決するために、この考案は、
少なくとも一部に外面に接した透明または半透明部を有し、
上記透明または半透明部の少なくとも一部に湾曲部を有し、
上記透明または半透明部の内部に少なくとも一つの、レーザー加工により形成された三次元画像を有することを特徴とする容器である。
【０００８】
この容器は、少なくとも一部に外面に接した透明または半透明部を有するものであれば基本的にはどのようなものであってもよいが、典型的にはその全体が透明または半透明に構成される。この容器の透明または半透明部は、典型的にはガラスからなり、最も典型的にはその全体がガラスからなる。ガラスは基本的にはどのようなものであってもよいが、例えば、ソーダガラス、クリスタルガラス（鉛ガラス）、ホウケイ酸ガラス、石英ガラスなどである。
【０００９】
容器は基本的にはどのようなものであってもよく、特に限定されないが、具体的には、例えば、コップ、カップ、ワイングラス、ジョッキ、茶碗、急須、ポット、ボール、ピッチャー、アイスペール、皿、鉢、調味料ボトルなどである。
【００１０】
透明または半透明部は、基本的には容器のどの部分にあってもよい。一例を挙げると、少なくとも容器の底部に透明または半透明部を有し、この底部の透明または半透明部の内部に三次元画像を有する。
【００１１】
また、この考案は、
少なくとも一部に外面に接した透明または半透明部を有し、
上記透明または半透明部の少なくとも一部に湾曲部を有し、
上記湾曲部の上記透明または半透明部の内部に少なくとも一つの、レーザー加工により形成された三次元構造を有することを特徴とする立体物である。
【００１２】
三次元構造は、三次元画像のほか、レーザー加工により形成される微細なクラックの三次元配置によるあらゆる構造を含む。立体物は、基本的にはどのようなものであってもよいが、例えば、容器または光学部品である。光学部品は、例えば、レンズ作用に加えて光の拡散機能や回折機能を有するレンズ、導光作用に加えて光の拡散機能や回折機能を有する導光板あるいはそれらを一部に含む光学部品などである。
【考案の効果】
【００１３】
この考案によれば、透明または半透明部の内部にレーザー加工により形成された三次元画像あるいは三次元構造を有する種々の形状の容器あるいは立体物を提供することができる。
【図面の簡単な説明】
【００１４】
【図１】第１の実施の形態によるコップを示す斜視図である。
【図２】第１の実施の形態によるコップを示す縦断面図、上面図および底面図である。
【図３】第１の実施の形態によるコップの製造方法を説明するための略線図である。
【図４】実施例のコップを斜め方向から撮影した図面代用写真である。
【図５】実施例のコップを上から撮影した図面代用写真である。
【図６】実施例のコップを上下逆さまにして上から撮影した図面代用写真である。
【図７】第２の実施の形態による光拡散機能付き凸レンズを示す側面図である。
【図８】第３の実施の形態による光拡散機能付き凹レンズを示す側面図である。
【図９】第４の実施の形態による回折格子内蔵凸レンズを示す側面図である。
【考案を実施するための形態】
【００１５】
以下、考案を実施するための形態（以下「実施の形態」とする）について説明する。
【００１６】
〈第１の実施の形態〉
［コップ］
図１は第１の実施の形態によるコップ１０を示す斜視図である。また、図２Ａ、ＢおよびＣはそれぞれこのコップ１０の縦断面図、上面図および底面図である。
【００１７】
図１ならびに図２Ａ、ＢおよびＣに示すように、コップ１０は、ほぼ平坦な肉厚の底部１１とこの底部１１の外周部から上方に向かって末広がりに設けられた肉薄の筒状部１２とからなり、全体が透明なガラスからなる。コップ１０自体は、市販されている一般的な透明ガラス製のコップであってよい。この場合、コップ１０の底部１１の内部にレーザー加工により形成された三次元画像１３が形成されていることが特徴である。図１ならびに図２Ａ、ＢおよびＣには、一例として、朝顔をカメラで撮影した写真の二次元データに基づいて作成された朝顔の三次元画像１３が形成されている。コップ１０の各部の大きさや厚さあるいは三次元画像１３の大きさや厚さなどは、必要に応じて決められる。
【００１８】
［コップの製造方法］
まず、透明ガラス製のコップ１０を用意する。このコップ１０を市販のレーザー加工機にセットする。具体的には、図３に示すように、レーザー加工機のＸ−Ｙ−Ｚ位置制御ステージ１０１上にコップ１０を上下逆さまに、すなわちコップ１０を底部１１が上になるように置き、位置がずれないように固定する。次に、レーザー発生装置１０２で発生されたレーザー光１０３を垂直下方に照射することにより、コップ１０の底部１１の内部にレーザー加工を施して三次元画像１３を形成する。より具体的には、例えば特許文献２に記載されているように、画像情報を専用のソフトウェアによりレーザー加工情報に変換し、このレーザー加工情報に基づいてＸ−Ｙ−Ｚ位置制御ステージ１０１をＸ軸、Ｙ軸およびＺ軸方向に移動させる。そして、レーザー発生装置１０２で発生されたレーザー光１０３が、コップ１０の底部１１の内部の所望の位置で焦点を結ぶことにより、その焦点を結んだ位置で非線形吸収現象により微細なクラックが局所的にかつ緻密に生成される。こうして緻密に形成されたクラックの集合により三次元画像１３が形成される。
【００１９】
［実施例］
上述のコップ１０の製造方法と同様な方法により、図４の写真に示すような市販の透明ガラス製コップの肉厚の底部の内部にレーザー加工を施し、三次元画像として姫路城を形成した。レーザー光１０３としては、ＹＡＧレーザーの第２高調波（波長５３２ｎｍ）を用いた。レーザー光１０３の照射時間は２分間とした。図５および図６はそれぞれ、こうして三次元画像が形成されたコップを上から撮影した写真および上下逆さまにして上から撮影した写真である。図４〜図６に示すように、コップの底部の内部に姫路城の三次元画像が鮮明に形成されていることが分かる。
【００２０】
以上のように、この第１の実施の形態によれば、底部１１の内部に三次元画像１３が形成されたコップ１０を得ることができる。
【００２１】
〈第２の実施の形態〉
［光拡散機能付き凸レンズ］
図７は第２の実施の形態による光拡散機能付き凸レンズ２０を示す側面図である。
【００２２】
図７に示すように、この光拡散機能付き凸レンズ２０は透明ガラス製の平凸レンズであり、その平面２０ａ側のレンズ内部にレーザー加工により形成されたクラックの集合体からなる三次元構造２１が形成されている。この三次元構造２１は光を均一に拡散させることができるように形成されている。
【００２３】
［光拡散機能付き凸レンズの製造方法］
この光拡散機能付き凸レンズ２０は、第１の実施の形態によるコップ１０と同様にして製造することができる。
【００２４】
この第２の実施の形態によれば、集光機能に加えて光拡散機能を有する凸レンズ２０を得ることができる。
【００２５】
〈第３の実施の形態〉
［光拡散機能付き凹レンズ］
図８は第３の実施の形態による光拡散機能付き凹レンズ３０を示す側面図である。
【００２６】
図８に示すように、この光拡散機能付き凹レンズ３０は透明ガラス製の平凹レンズであり、その平面３０ａ側のレンズ内部にレーザー加工により形成されたクラックの集合体からなる三次元構造３１が形成されている。この三次元構造３１は光を均一に拡散させることができるように形成されている。
【００２７】
［光拡散機能付き凹レンズの製造方法］
この光拡散機能付き凹レンズ３０は、第１の実施の形態によるコップ１０と同様にして製造することができる。
【００２８】
この第３の実施の形態によれば、集光機能に加えて光拡散機能を有する凹レンズ３０を得ることができる。
【００２９】
〈第４の実施の形態〉
［回折格子内蔵凸レンズ］
図９は第４の実施の形態による回折格子内蔵凸レンズ４０を示す側面図である。
【００３０】
図９に示すように、この回折格子内蔵凸レンズ４０は透明ガラス製の平凸レンズであり、その平面４０ａ側のレンズ内部にレーザー加工により形成されたクラックの集合体からなる三次元構造４１が形成され、この三次元構造４１が回折格子を形成している。
【００３１】
［回折格子内蔵凸レンズの製造方法］
この回折格子内蔵凸レンズ４０は、第１の実施の形態によるコップ１０と同様にして製造することができる。
【００３２】
この第４の実施の形態によれば、集光機能に加えて回折格子の機能を有する回折格子内蔵凸レンズ４０を得ることができる。
【００３３】
以上、この考案の実施の形態および実施例について具体的に説明したが、この考案は上述の実施の形態および実施例に限定されるものではなく、この考案の技術的思想に基づく各種の変形が可能である。
【００３４】
例えば、上述の実施の形態および実施例において挙げた数値、構成、形状、材料、方法などはあくまでも例に過ぎず、必要に応じてこれらと異なる数値、構成、形状、材料、方法などを用いてもよい。
【００３５】
例えば、発光ダイオード（ＬＥＤ）から発せられる光を拡散させて均一な配光分布を得るための拡散板として、湾曲部を有するか否かにかかわらずガラス板の内部にレーザー加工により、光を拡散させるための三次元構造を形成したものを用いてもよい。
【符号の説明】
【００３６】
１０…コップ、１１…底部、１２…筒状部、１３…三次元画像、２０…光拡散機能付き凸レンズ、２１…三次元構造、３０…光拡散機能付き凹レンズ、３１…三次元構造、４０…回折格子内蔵凸レンズ、４１…三次元構造
【図１】
0003200099.tif 000003
【図２】
0003200099.tif 000004
【図３】
0003200099.tif 000005
【図７】
0003200099.tif 000006
【図８】
0003200099.tif 000007
【図９】
0003200099.tif 000008
【図４】
0003200099.tif 000009
【図５】
0003200099.tif 000010
【図６】
0003200099.tif 000011